(57)【特許請求の範囲】
【請求項１】
扉枠の内側縁に装着され、ガードアームの一端を回動可能に枢着したストライク板の、デッドボルト投入孔に関しガードアームが振り出る方向とは反対側の側端縁を扉側に折曲げて鉛直方向に延在する案内片を形成し、一方、デッドボルトとの係合孔が開口しているガードアームの自由端付近におけるストライク板上に、縦長の合成樹脂製のブロック体で、ガードアームが振り出る方向と同方向の前側面に傾斜面を形成し、この傾斜面をガードアームの自由端に係合可能に臨ませると共に、背面を上記案内片に摺接可能に面接触させた調整スライダを設け、この調整スライダに縦長の調整孔を開口させると共に、この調整孔を挿通する止めねじにより調整スライダの上下方向の位置を調節可能に固定し、また、調整スライダの背面と案内片との面接触による係合により調整スライダの止めねじ回りの回動を阻止するようにし、以て、経年変化或いは他の原因によりガードアームの待機角度位置が変化し、ガードアームの係合孔がデッドボルトと整合しなくなった場合、止めねじを弛めて調整スライダを上下させることにより傾斜面の位置をその傾斜角度を変えずに上下させ、ガードアームの自由端と傾斜面との接触点を見込み方向において変化させることによりガードアームの待機角度位置を調整するようにしたことを特徴とするガードアームの待機角度位置調整装置。
【請求項２】
上記調整孔の表面側に拡幅した段部を形成し、この段部に止めねじの頭部を隠すようにしたことを特徴とする請求項１に記載のガードアームの待機角度位置調整装置。
【発明の詳細な説明】
【０００１】
【発明の属する技術分野】
この発明は、ガードアームの待機角度位置調整装置（以下単に角度調整装置という）に係り、特に、設定したガードアームの待機角度位置を安定して保持することができ、しかもガードアーム装置の作動終了時に騒音が発生しない新規な角度調整装置に関する。
【０００２】
【従来の技術】
ガードアーム装置は、例えば、一端を扉枠の内側縁に回動可能に枢着され、見込み方向に移動可能に案内されたガードアームの自由端にデッドボルトの先端との係合孔を開口させ、２段階に突出できるように構成されたデッドボルトの１段目の突出時、デッドボルトの先端とこの係合孔とを係合させ、以後、扉の開角度をドアチェーンのように一定以下に保つ装置である。
【０００３】
ところで、何れの型式のガードアーム装置でも、扉口に装着後相当の期間が経過すると、扉や扉枠の建て付けの変化に起因して、待機時におけるガードアームの角度位置がデッドボルトが収納されている錠箱に対し相対的に変化し、ガードアーム作動時デッドボルトがデッドボルトの先端がガードアームの係合孔に係合できなくなる事態に致る。
【０００４】
係る事態に備えて、例えば実公平５−３２６０２号公報に記載された考案は、ガードアームの待機角度位置を調整する機構を種々提案している。
【０００５】
【発明が解決しようとする課題】
しかしながら、これらに限らず従来の角度調整装置は、例えば雌ねじと雄ねじとの摩擦係合や、ねじの締め付け力による部材間の摩擦係合に頼っており、長期間の使用によって角度調整装置が受けるであろう衝撃や振動に対し、ガードアームの角度位置を安定に保つことは到底期待できない。
【０００６】
この発明は、設定したガードアームの待機角度位置を安定して保持することができ、しかもガードアーム装置の作動終了時に騒音が発生しない新規な角度調整装置を提供し、以て上記した不都合を解消することを目的としている。
【０００７】
【課題を解決するための手段】
上記の目的を達成するため、この発明は、扉枠の内側縁に装着され、ガードアームの一端を回動可能に枢着したストライク板の、デッドボルト投入孔に関しガードアームが振り出る方向とは反対側の側端縁を扉側に折曲げて鉛直方向に延在する案内片を形成し、一方、デッドボルトとの係合孔が開口しているガードアームの自由端付近におけるストライク板上に、縦長の合成樹脂製のブロック体で、ガードアームが振り出る方向と同方向の前側面に傾斜面を形成し、この傾斜面をガードアームの自由端に係合可能に臨ませると共に、背面を上記案内片に摺接可能に面接触させた調整スライダを設け、この調整スライダに縦長の調整孔を開口させると共に、この調整孔を挿通する止めねじにより調整スライダの上下方向の位置を調節可能に固定し、また、調整スライダの背面と案内片との面接触による係合により調整スライダの止めねじ回りの回動を阻止するようにし、以て、経年変化或いは他の原因によりガードアームの待機角度位置が変化し、ガードアームの係合孔がデッドボルトと整合しなくなった場合、止めねじを弛めて調整スライダを上下させることにより傾斜面の位置をその傾斜角度を変えずに上下させ、ガードアームの自由端と傾斜面との接触点を見込み方向において変化させることによりガードアームの待機角度位置を調整するようにしたことを特徴とする。
【０００８】
【実施例】
以下、この発明の実施例を図面を参照して説明する。
図１で符号１はストライク板を示し、このストライク板１は、例えばねじ２、２により図示しない扉枠の内側縁、すなわち、閉扉時扉の自由側端縁に対向する縦長の縁部に装着される。
【０００９】
このストライク板１の上端部には、ガードアーム３の一端が回動可能に、すなわち、その自由端部が見込み方向に移動可能に支承されている。
【００１０】
ガードアーム装置の型式、或いはガードアームの構造は現在種々のものが提案され、実用されているが、図示のガードアームは、鞘と刀身のように二つの部材に分割され、下方の部材が偏平な筒状の上部の部材に伸縮可能に嵌合している。
【００１１】
そして、ガードアーム装置作動時、ガードアームの自由端の係合孔４に係合したデッドボルト５の先端が、扉が開くに連れて図１で左方に移動し、これに従動してガードアーム３が時計方向に回動するに伴い、ガードアームが伸張してデッドボルト５に追従する。
【００１２】
ちなみに、図示の実施例におけるガードアーム３を構成する下方の部材と上部の部材は内蔵された引っ張りコイルばねによって連結されており、扉が閉るときにガードアーム３が自動的に縮む。
【００１３】
なお、ガードアーム装置の型式には、ガードアーム３の長さが変らず、その代わりにガードアームの枢軸が上下するもの、或いはガードアームの枢軸及び長さが変らない代りに、錠箱内にデッドボルトが上下動できるもの、等種々のものがあるが、この発明は何れの型式のガードアーム装置にも適用可能である。
【００１４】
また、ストライク板１の下方には、待機角度位置におけるガードアームの係合孔４とほぼ整合するようにして、デッドボルト投入孔６が開口しており、閉扉後デッドボルト５を２段階突出させることにより、デッドボルト５の先端をこのデッドボルト投入孔６に投入し、扉を施錠できることは従来のガードアーム装置と同様である。
【００１５】
上記のようにしてガードアーム３を担持したストライク板１は、図示の実施例におけるガードアーム３が厚いので、扉と扉枠との間の隙間（所謂チリ）に納らないので、扉枠の内側縁に埋設するのが普通である。
【００１６】
一方、ストライク板１のガードアーム装置作動時振出されるガードアームを見送る側、換言すれば、デッドボルト投入孔に関しガードアームが振出される方向とは反対側の側端縁（図１で右側の側端縁）は、扉側に折曲げられて、扉側に突出し鉛直方向に延在する案内片７が形成されている。
【００１７】
他方、ガードアーム３の自由端付近におけるストライク板１上に、縦長の合成樹脂製のブロック体である調整スライダ８が配設されている。
【００１８】
この調整スライダ８は、その上端部で、ガードアーム３が振り出る方向の前方（図１で左方）には上端程案内片７に近接する傾斜面９が形成されている。
【００１９】
また、この調整スライダ８には、その長さ方向に沿って、これを見付け方向、すなわちストライク板１の厚さ方向に貫通する調整孔１１が開口している。
【００２０】
この調整孔１１の調整スライダ８に対する見込み方向の相対位置は、止めねじ１２がこの調整孔１１を挿通してストライク板１に形成された図示しない雌ねじ孔と螺合したとき、調整スライダ８の背面が案内片７に摺接できるように設定されている。
【００２１】
図示の実施例では、この調整孔１１の表面側に拡幅された段部１３を形成し、この段部１３内に止めねじ１２の頭部を収納して隠すことができるように構成されている。
【００２２】
上記のように構成されたこの発明の一実施例による角度調整装置は、経年変化或いは他の原因によりガードアーム３の待機角度位置が変化し、図１においてガードアームの係合孔４がデッドボルト５と整合しなくなった場合、止めねじ１２を弛めて調整スライダ８を上下させる。
【００２３】
すると、傾斜面９の位置が、その傾斜角度を変えずに上下するから、ガードアーム３の自由端と傾斜面９との接触点が傾斜面９に沿って上下する。
【００２４】
換言すれば、上記接触点が見込み方向、すなわち図１で左右方向に移動する。したがって、ガードアーム３の待機角度位置を調整することができる。
【００２５】
ガードアーム３の角度位置の調整が終了したら、止めねじ１２を締め込んでその位置を固定する。
【００２６】
【発明の効果】
以上の説明から明らかなように、この発明は、調整スライダ８が合成樹脂製で止めねじ１２を締め込むときに弾性変形が大きいことから、角度位置の調整後は少々の止めねじの弛みでは摩擦係合が大きく変化せず、止めねじ１２の弛みが少ない。
【００２７】
また、調整スライダ８の背面が案内片７に面接触し、止めねじ１２の周りの回転が拘束されるので、傾斜面９との角度が変ることもない。
【００２８】
加えて、ガードアーム装置の作動後ガードアームの自由端が調整スライダに衝突しても、調整スライダがその材質の特性から衝突を緩和するので、騒音が発生しない、等種々の効果を奏する。
【図面の簡単な説明】
【図１】この発明の一実施例による角度調整装置を装着したガードアーム装置の正面図。
【図２】その下面図。
【符号の説明】
１  ストライク板
３  ガードアーム
４  係合孔
５  デッドボルト
７  案内片
８  調整スライダ
９  傾斜面
１１  調整孔
１２  止めねじ
１３  段部
【図１】
0004266479.tif 000002
【図２】
0004266479.tif 000003